(57)【要約】      （修正有）【課題】水田の暗渠排水あるいは土中灌水施設に用いられる水位調整水閘の出水口の構造を提供する。【解決手段】出水口部材８は、水位調整スライド管の先端に挿入固定される嵌合筒１２と、該嵌合筒１２の上部に設けたフランジ部１３と、該フランジ部１３から上方に延びた複数枚の支持枠１４と、該支持枠１４の上端に配置されたストッパー保持枠１５とから構成される。ストッパー部材９は、キャップ状の円筒体の天板面２１に操作桿を挿通する開口部を形成し、前記円筒体の胴部にフランジ２３を形成し、前記フランジ２３の下方にストッパー保持枠１５のフランジ上部が嵌合する幅で嵌合凸部２４を形成し、さらに該嵌合凸部２４から下方へ延びるＬ状の脚部２５を形成する。前記出水口部材８のストッパー保持部材１５とストッパー部材９との凹凸嵌合により操作桿の係脱を図るため、高齢者や婦女子でも簡単に操作することができる。【選択図】図９
0003203894.tif 000002
【実用新案登録請求の範囲】
【請求項１】
水閘チーズの内部に一端を排水管接続部の内壁に連結され、他端を前記立上管接続部に開口された屈曲管と、該屈曲管にねじ込み部材を介して下端を液密に接続され、前記水閘立上管内に同心円状に配置されたテレスコープ式の水位調整スライド管と、該水位調整スライド管の上端を開口状に保持する出水口部材と、該出水口部材に嵌挿し、操作桿の係脱作用をするストッパー部材と、該ストッパー部材に設けた嵌合凹部に嵌合し、軸方向の外周面４方向に等間隔で複数個の嵌合凸部を形成した操作桿を備える水位調節水閘において、
前記出水口部材は、水位調整スライド管の先端に挿入固定される嵌合筒と、該嵌合筒の上部に設けたフランジ部と、該フランジ部から上方に延びた複数枚の支持枠と、該支持枠の上端に配置されたストッパー保持枠とから構成され、前記ストッパー保持枠は、中央内部にフランジ段部が形成され、該フランジ段部の中心に操作桿が貫通する開口部が形成され、前記ストッパー部材は、キャップ状の円筒体の天板面に操作桿を挿通する開口部を形成し、前記円筒体の胴部にフランジを形成し、前記フランジの下方に前記ストッパー保持枠のフランジ上部が嵌合する幅で嵌合凸部を形成し、さらに該嵌合凸部から下方へ延びるＬ状の脚部を形成することを特徴とする水位調整水閘の出水口の構造。
【請求項２】
前記ストッパー保持枠の上部にフランジ上部を形成し、該フランジ上部に前記ストッパー部材が係脱する位置決め凸部及び位置決め凹部を形成することを特徴とする請求項１記載の水位調整水閘の出水口の構造。
【考案の詳細な説明】
【技術分野】
【０００１】
本考案は、水田の暗渠排水あるいは土中灌水施設に用いられる水位調整水閘の出水口の構造に関するものである。
【背景技術】
【０００２】
従来、湿田、乾田化の管理のために、暗渠排水用バルブを開いた状態では水田下の地中水が集水管内に吸水され、排水管及び継手管を通って排水路に排水され、乾田化が図られる。一方暗渠排水用バルブを閉じた状態では集水管からの排水が遮断されるので、地中水が水田下に止まり、湿田化が図られる。
しかし、従来の暗渠排水用バルブでは、立ち管の上端部および操作桿の上端部が畦畔において地上に突出するため、暗渠排水用バルブの上端部が畦畔における草刈りなどの作業の邪魔になると共に、農機具などにより暗渠排水用バルブを破損させてしまう恐れがあった。
【０００３】
そこで、作業の邪魔にならないと共に、農機具などにより破損させてしまうことを防止できる水位調整可能な暗渠排水用バルブが公知となっている（特許文献１を参照）。
この公知技術の水位調整可能な暗渠排水用バルブは、水閘立上管内に同心円状に配置された蛇腹管と、該蛇腹管の上端を開口状に保持する操作桿ジョイントを下端に有し、該操作桿ジョイントに設けた袋ナットにより寸法目盛を形成した棒状体を上下調節自在にし、上端をスライド管内の上部取付溝に嵌合させた支持板により保持された操作桿とから構成された調節水閘である。
【０００４】
湿田、乾田化の管理のためには、スライド管キャップを開け、スライド管の上部取付溝から支持板を外し、前記操作桿を引き上げて前記スライド管の開口部位置まで操作桿ジョイントを引き上げる。そして前記操作桿ジョイントの袋ナットを緩めて寸法目盛に合わせて操作桿の長さ調節を行い、再び前記袋ナットを締めて前記操作桿に固定し、前記操作桿をスライド管に戻す。したがって、前記操作桿の長さ調節を行うことにより、蛇腹管の開口部位置を調節できるので、簡単に水位調節、すなわち湿田、乾田化の管理を行うことができるものである。
【０００５】
しかし、前述の公知技術は、蛇腹管と袋ナットを使用しているため、蛇腹管の伸縮動作や袋ナットの係脱動作において、高齢者や婦女子にとっては、操作桿の長さ調節を行うことが容易ではなかった。
そのため、高齢者や婦女子でも簡単に操作できる水位調整可能な調節水閘が望まれていた。そこで、本出願人は、スライド管の出入り部材に設けた嵌合凹部と操作桿の軸方向の外周に形成した多数個の嵌合凸部との凹凸嵌合により長さ調整を図る水位調整水閘を開発した（特許文献２を参照）。
本考案は、操作桿の長さ調節を正確かつ簡単に行えるように水位調整水閘の出水口の構造を改良したものである。
【先行技術文献】
【特許文献】
【０００６】
【特許文献１】特開２０１５−１６１９３号公報（図１を参照）
【特許文献２】実用新案登録第３１９９５３７号公報（図１−３を参照）
【考案の概要】
【考案が解決しようとする課題】
【０００７】
本考案は、水田の暗渠排水あるいは土中灌水施設に用いられる水位調整水閘の出水口の構造を提供することを目的とする。
【課題を解決するための手段】
【０００８】
本考案の水位調整水閘の出水口の構造は、出水口部材が、水位調整スライド管の先端に挿入固定される嵌合筒と、該嵌合筒の上部に設けたフランジ部と、該フランジ部から上方に延びた複数枚の支持枠と、該支持枠の上端に配置されたストッパー保持枠とから構成され、前記ストッパー保持枠が、中央内部にフランジ段部が形成され、該フランジ段部の中心に操作桿が貫通する開口部が形成され、ストッパー部材が、キャップ状の円筒体の天板面に操作桿を挿通する開口部を形成し、前記円筒体の胴部にフランジを形成し、前記フランジの下方に前記ストッパー保持枠のフランジ上部が嵌合する幅で嵌合凸部を形成し、さらに該嵌合凸部から下方へ延びるＬ状の脚部を形成する。
前記ストッパー保持枠の上部にフランジ上部を形成し、該フランジ上部に前記ストッパー部材が係脱する位置決め凸部及び位置決め凹部を形成する。
【考案の効果】
【０００９】
本考案の水位調整水閘の出水口の構造は、出水口部材が、水位調整スライド管の先端に挿入固定される嵌合筒と、該嵌合筒の上部に設けたフランジ部と、該フランジ部から上方に延びた複数枚の支持枠と、該支持枠の上端に配置されたストッパー保持枠とから構成され、前記ストッパー保持枠が、中央内部にフランジ段部が形成され、該フランジ段部の中心に操作桿が貫通する開口部が形成され、ストッパー部材が、キャップ状の円筒体の天板面に操作桿を挿通する開口部を形成し、前記円筒体の胴部にフランジを形成し、前記フランジの下方にストッパー保持枠のフランジ上部が嵌合する幅で嵌合凸部を形成し、さらに該嵌合凸部から下方へ延びるＬ状の脚部を形成するため、前記出水口部材のストッパー保持部材とストッパー部材との凹凸嵌合により操作桿の係脱を図るため、高齢者や婦女子でも簡単に操作することができる。
【図面の簡単な説明】
【００１０】
【図１】本考案の水位調整水閘の一部省略縦断面図である。
【図２】出水口部材の平面図である。
【図３】出水口部材の正面図である。
【図４】図２のＡ−Ａ矢視断面図である。
【図５】図２のＢ−Ｂ矢視断面図である。
【図６】ストッパー部材の正面図である。
【図７】ストッパー部材の平面図である。
【図８】ストッパー部材の底面図である。
【図９】ストッパー部材と出水口部材との嵌合を示す一部省略縦断面図である。
【図１０】操作桿の嵌合連結を示す説明図である。
【考案を実施するための形態】
【００１１】
本考案の水位調整水閘の出水口の構造の一実施例を添付図面に基づいて、以下に説明する。
図１の一部省略縦断面図に示すように、水位調節水閘１は、水平方向の排水管接続部と垂直方向の立上管接続部を有するＴ字状の水閘チーズ２と、該水閘チーズ２の立上管接続部に固定立設された水閘立上管３と、該水閘立上管３の外周にシールパッキンを介して摺動自在に嵌合されたスライド管４と、該スライド管４の上端開口を閉塞するスライド管キャップ５を備える。
【００１２】
前記水閘チーズ２の内部に一端を排水管接続部の内壁に連結され、他端を前記立上管接続部に開口された屈曲管６と、該屈曲管６にねじ込み部材を介して下端を液密に接続され、前記水閘立上管３内に同心円状に配置されたテレスコープ式の水位調整スライド管７と、該水位調整スライド管７の上端を開口状に保持する出水口部材８と、該出水口部材８に嵌挿し、操作桿１１の係脱作用をするストッパー部材９と、該ストッパー部材９に設けた嵌合凹部（図示されず）に嵌合し、軸方向の外周面４方向に等間隔で複数個の嵌合凸部１０を形成した操作桿１１を備えている。
【００１３】
前記出水口部材８は、図２の平面図、図３の正面図に示すように、水位調整スライド管７の先端に挿入固定される嵌合筒１２と、該嵌合筒１２の上部に設けたフランジ部１３と、該フランジ部１３から上方に延びた複数枚の支持枠１４と、該支持枠１４の上端に配置されたストッパー保持枠１５とから構成される。
【００１４】
図４のＡ−Ａ矢視断面図に示すように、前記嵌合筒１２、フランジ部１３、支持枠１４、ストッパー保持枠１５は一体に成形され、前記ストッパー保持枠１５は、中央内部にフランジ段部１６が形成され、該フランジ段部１６の中心に操作桿１１が貫通する開口部１７が形成される。なお、前記開口部１７の形状は、図２の平面図に示す。
図５のＢ−Ｂ矢視断面図に示すように、前記ストッパー保持枠１５の上部にフランジ上部１８を形成し、該フランジ上部１８にストッパー部材９が係脱する図２の平面図に示す位置決め凸部１９及び位置決め凹部２０を形成する。
【００１５】
前記ストッパー部材９は、図６の正面図、図７の平面図、図８の底面図に示すように、キャップ状の円筒体の天板面２１に操作桿１１を挿通する開口部２２を形成し、前記円筒体の胴部にフランジ２３を形成し、図６に示すように、前記フランジ２３の下方にストッパー保持枠１５のフランジ上部１８が嵌合する幅で嵌合凸部２４を形成し、さらに該嵌合凸部２４から下方へ延びるＬ状の脚部２５を形成する。なお、図６及び図７の番号２６は、操作桿１１の嵌合凸部１０が挿通する前記開口部２２の嵌合凹部２７の内側面に設けたバネ片２６で、ガタツキを防止する効果がある。
【００１６】
次に、前記出水口部材８と前記ストッパー部材９との嵌合組み付けは、次の通りに行う。
図２の平面図に示す出水口部材８の位置決め凹部２０に、図８の底面図に示すストッパー部材９の嵌合凸部２４を嵌め込む。すなわち、図５のＢ−Ｂ矢視断面図に示すフランジ段部１６に、図６の正面図に示す嵌合凸部２４が載り、また図５のＢ−Ｂ矢視断面図に示すフランジ上部１８に、図６の正面図に示すフランジ２３が載る。
そして、脚部２５は、図２の平面図の開口部１７の嵌合凹部２８を通り抜け、図９の一部省略縦断面図に示すように、ストッパー保持枠１５の下部に係合する位置に位置決めされる。この組み付け状態では、図２に示す嵌合凹部２８と図７に示す嵌合凹部２７は一致しておらず、操作桿１１を挿通することはできない。
【００１７】
また、前記出水口部材８及び前記ストッパー部材９と操作桿１１との係脱は、次の通りに行う。
前述の組み付け状態から、ストッパー部材９を時計回りに回転すると、図９に示す脚部２５がストッパー保持枠１５の下部に沿って、またストッパー部材９のフランジ２３が図５に示すフランジ上部１８に載って回転し、出水口部材８の嵌合凹部２８とストッパー部材９の嵌合凹部２７を一致させる。この状態で、図１０の正面図に示す操作桿１１及び嵌合凸部１０が開口部１７に挿通可能となる。
前記操作桿１１を上下動して長さ調節を行って位置決めし、操作桿１１をさらに時計回りに回転すると、操作桿１１は嵌合したストッパー部材９と一体となって回転し、操作桿１１を上下移動できないようにロック状態にする。すなわち、脚部２５がフランジ段部１６のストッパー２９に接触して回転が停止されると同時に、ストッパー部材９の嵌合凸部２４が出水口部材８の位置決め凸部１９で上方を押さえられ、抜けが防止される。また、操作桿１１のロックを解除する場合は、反時計回りに回転すれば、操作桿１１はストッパー部材９と一体となって回転し、逆動作により解除できる。
【００１８】
つぎに、本考案の水位調整水閘の出水口の構造の操作動作を添付図面に基づいて、以下に説明する。
図１０の説明図に示すように、操作桿１１は、軸方向の外周に等間隔で複数個の嵌合凸部１０を形成し、本実施例では、４方向に嵌合凸部１０の列を形成し、先端に嵌合半割筒部３０を設け、該嵌合半割筒部３０の隙間部に鉤片３１を設け、一方、下端に前記鉤片３１に係合する位置に窓孔３２を形成する。そして、一方の操作桿１１の嵌合半割筒部３０及び鉤片３１を他方の操作桿１１の下部に差し込み、前記鉤片３１を窓孔３２に嵌合させて操作桿１１，１１同士を連結し、適宜長さを調節する。
【００１９】
また、図２に示す出水口部材８の位置決め凹部２０に、図６に示すストッパー部材９の嵌合凸部２４を嵌め込み、この組み付け状態から、ストッパー部材９を時計回りに回転すると、図９に示す脚部２５がストッパー保持枠１５の下部に沿って、またフランジ２３が図５に示すフランジ上部１８に載って回転し、出水口部材８の嵌合凹部２７とストッパー部材９の嵌合凹部２８が一致する。この状態で、操作桿１１の嵌合凸部１０が挿通可能となる。
操作桿１１を上下動して出水口部材８の溢出口３３の高さ調節を行って位置決めし、操作桿１１を時計回りに回転すると、操作桿１１は嵌合したストッパー部材９と一体となって回転し、操作桿１１をロック状態にする。
【００２０】
図１に示す状態から出水口部材８の溢出口３３の高さ調節を行う場合には、スライド管キャップ５を開け、操作桿ハンドル３４により操作桿１１を引き上げて前記スライド管４の開口部位置まで出水口部材８を引き上げる。
つぎに、前記操作桿１１をストッパー部材９と一体に反時計回りに回転させてロック状態を解除させ、出水口部材８の嵌合凹部２８とストッパー部材９の嵌合凹部２７が一致する位置まで回転させる。
操作桿１１の嵌合凸部１０とストッパー部材９の嵌合凹部２７を一致させると、操作桿１１が上下に摺動可能となり、出水口部材８の溢出口３３の高さ調節を行う。
そして、操作桿１１を時計回りに回転させると、操作桿１１とストッパー部材９が一体となって回転し、脚部２５がフランジ段部１６のストッパー２９に接触して回転が停止され、ストッパー部材９の嵌合凸部２４が出水口部材８の位置決め凸部１９で上方を押さえられ、抜けが防止され、操作桿１１をロック状態にする。
その後、図１に示すように、前記操作桿１１をスライド管４内に戻し、前記スライド管キャップ５を閉蓋する。
これで、用水路からの水は、水閘チーズ２の排水管接続部から流入し、屈曲管６を経てテレスコープ式の水位調整スライド管７の出水口部材８の溢出口３３から溢水してもう一方の排水管接続部に排水される。
したがって、前記操作桿１１の長さ調節を行うことにより、水位調整スライド管７の出水口部材８の溢出口３３位置を調節できるので、簡単に水位調節、すなわち湿田、乾田化の管理を行うことができる。
【符号の説明】
【００２１】
１  水位調節水閘
２  水閘チーズ
３  水閘立上管
４  スライド管
５  スライド管キャップ
６  屈曲管
７  水位調整スライド管
８  出水口部材
９  ストッパー部材
１０  嵌合凸部
１１  操作桿
１２  嵌合筒
１３  フランジ部
１４  支持枠
１５  ストッパー保持枠
１６  フランジ段部
１７  開口部
１８  フランジ上部
１９  位置決め凸部
２０  位置決め凹部
２１  天板面
２２  開口部
２３  フランジ
２４  嵌合凸部
２５  脚部
２６  バネ片
２７  嵌合凹部
２８  嵌合凹部
２９  ストッパー
３０  嵌合半割筒部
３１  鉤片
３２  窓孔
３３  溢出口
３４  操作桿ハンドル
【図１】
0003203894.tif 000003
【図２】
0003203894.tif 000004
【図３】
0003203894.tif 000005
【図４】
0003203894.tif 000006
【図５】
0003203894.tif 000007
【図６】
0003203894.tif 000008
【図７】
0003203894.tif 000009
【図８】
0003203894.tif 000010
【図９】
0003203894.tif 000011
【図１０】
0003203894.tif 000012